(57)【要約】【課題】目的の動画像データを簡単に検索することができるようにする。【解決手段】  ＬＣＤ２６の内容一覧画面２０１の円環状移動軌跡２１１上の所定の位置には、左中央部から、反時計回りに順に、ユーザが、右方向指示ボタンを押下したときに、ファイル一覧画面において、カーソル１３２により選択されていた画像が対応する映像データが、５秒間隔で切り取られ、制御用メモリに貼り付けられた静止画像が、画像２２１、画像２２２、および画像２２３として配置されている。すなわち、画像２２１は、映像データにおける０秒後の画像（先頭画像）であり、画像２２２は、映像データにおける５秒後の画像であり、画像２２３は、１０秒後の画像である。本発明は、記録されているデータの一覧表示を行う撮像装置に適用できる。【選択図】図１０
2006074320.tif 000002
【特許請求の範囲】
【請求項１】
記録媒体に記録されているデータを読み出す情報処理装置において、
時間間隔を設定する時間間隔設定手段と、
前記記録媒体に記録されている動画像データを読み出す読み出し手段と、
前記読み出し手段により読み出された前記動画像データの中の画像を、前記時間間隔設定手段により設定された前記時間間隔ごとに、静止画像として切り出す切り出し手段と、
前記切り出し手段により切り出された前記静止画像からなる一覧表示のデータを生成するデータ生成手段と
を備えることを特徴とする情報処理装置。
【請求項２】
前記時間間隔設定手段は、前記一覧表示が行われているときに、ユーザの操作に応じて前記時間間隔よりもさらに細かい時間間隔を設定する
ことを特徴とする情報処理装置。
【請求項３】
前記一覧表示において、前記静止画像は、円環状の軌跡上に、再生時刻順に配置されており、
前記データ生成手段は、ユーザの操作に基づいて、配置されている前記静止画像の位置を、前記円環状の軌跡上を移動させて、前記一覧表示のデータを生成する
ことを特徴とする請求項１に記載の情報処理装置。
【請求項４】
前記一覧表示において、前記円環状の軌跡上の所定の位置に配置される静止画像が一番大きく表示され、前記円環状の軌跡に沿った距離が、前記所定の位置から離れている位置に配置される静止画像ほど、小さく表示される
ことを特徴とする請求項２に記載の情報処理装置。
【請求項５】
前記一覧表示において、前記円環状の軌跡に沿った距離が、前記所定の位置から離れている位置に配置される静止画像の表示は禁止され、前記軌跡は、前記円環状の一部が途切れた形状で表示される
ことを特徴とする請求項４に記載の情報処理装置。
【請求項６】
ユーザの操作に基づいて、前記一覧表示が行われている前記静止画像のうち、１の静止画像を選択する画像選択手段と、
前記画像選択手段により選択された前記１の静止画像の再生時刻から、前記動画像データを再生する再生手段と
をさらに備えることを特徴とする請求項１に記載の情報処理装置。
【請求項７】
前記再生手段は、ユーザの操作に基づいて、前記動画像データを、早送り、または巻き戻しにより再生する
ことを特徴とする請求項６に記載の情報処理装置。
【請求項８】
前記データ生成手段により生成された前記一覧表示のデータを表示する制御を行う表示制御手段を
さらに備えることを特徴とする請求項１に記載の情報処理装置。
【請求項９】
ネットワークを介して接続される他の情報処理装置からの要求に応じて、前記データ生成手段により生成された前記一覧表示のデータを、前記ネットワークを介して送信するデータ送信手段を
さらに備えることを特徴とする請求項１に記載の情報処理装置。
【請求項１０】
記録媒体に記録されているデータを読み出す情報処理装置の情報処理方法において、
時間間隔を設定する時間間隔設定ステップと、
前記記録媒体に記録されている動画像データを読み出す読み出しステップと、
前記読み出しステップの処理により読み出された前記動画像データの中の画像を、前記時間間隔設定ステップの処理により設定された前記時間間隔ごとに、静止画像として切り出す切り出しステップと、
前記切り出しステップの処理により切り出された前記静止画像からなる一覧表示のデータを生成するデータ生成ステップと
を含むことを特徴とする情報処理方法。
【請求項１１】
記録媒体に記録されているデータを読み出す処理をコンピュータに行わせるプログラムが記録されているプログラム記録媒体であって、
時間間隔を設定する時間間隔設定ステップと、
前記記録媒体に記録されている動画像データを読み出す読み出しステップと、
前記読み出しステップの処理により読み出された前記動画像データの中の画像を、前記時間間隔設定ステップの処理により設定された前記時間間隔ごとに、静止画像として切り出す切り出しステップと、
前記切り出しステップの処理により切り出された前記静止画像からなる一覧表示のデータを生成するデータ生成ステップと
を含むことを特徴とするプログラム記録媒体。
【請求項１２】
記録媒体に記録されているデータを読み出す処理をコンピュータに行わせるプログラムであって、
時間間隔を設定する時間間隔設定ステップと、
前記記録媒体に記録されている動画像データを読み出す読み出しステップと、
前記読み出しステップの処理により読み出された前記動画像データの中の画像を、前記時間間隔設定ステップの処理により設定された前記時間間隔ごとに、静止画像として切り出す切り出しステップと、
前記切り出しステップの処理により切り出された前記静止画像からなる一覧表示のデータを生成するデータ生成ステップと
を含むことを特徴とするプログラム。
【請求項１３】
記録媒体に記録されているデータの一覧表示を制御する表示制御装置において、
時間間隔を設定する時間間隔設定手段と、
前記記録媒体に記録されている動画像データを読み出す読み出し手段と、
前記読み出し手段により読み出された前記動画像データの中の画像を、前記時間間隔設定手段により設定された前記時間間隔ごとに、静止画像として切り出す切り出し手段と、
前記切り出し手段により切り出された前記静止画像からなる一覧表示のデータを生成するデータ生成手段と、
前記データ生成手段により生成された前記一覧表示のデータを表示する制御を行う表示制御手段と
を備えることを特徴とする表示制御装置。
【発明の詳細な説明】
【技術分野】
【０００１】
本発明は、情報処理装置および方法、プログラム記録媒体、プログラム、並びに表示制御装置に関し、特に、ユーザによる画像表示の操作を、直感的に快適に行うことができるようにした情報処理装置および方法、プログラム記録媒体、プログラム、並びに表示制御装置に関する。
【背景技術】
【０００２】
近年、携帯電話機やディジタルスチルカメラのような小型携帯端末においては、動画像も記録できるようになっており、さらに、記録メディアの容量増加に伴い、記録可能な枚数や時間も飛躍的に伸びてきている。また、小型携帯端末においては、さらなる小型化が急速に進み、それに伴い、小型携帯端末に搭載される表示部にも小型化が要求されている。
【０００３】
以上のことから、静止画像、動画像に限らず、大量の画像を小さい表示部に、如何にしてユーザに使いやすい形で表示、選択させるのかを提案することが急務となってきている。
【０００４】
一方、小型携帯端末に搭載されるＣＰＵ（Central Processing Unit）の処理能力の増加により、従来は２次元でしか表現することのできなかった画像選択画面が３次元でも表現し、表示できるようになり、より画像選択画面の表現の自由度が上がってきている。
【０００５】
そこで、例えば、特許文献１に示されるように、複数枚の画像を３次元立体で表示することにより、複数枚の画像に対しての視認性を高くし、それらの検索や選択などの操作を容易にするようにしたことが提案されている。
【０００６】
【特許文献１】特開２００２−８２７４５号
【発明の開示】
【発明が解決しようとする課題】
【０００７】
しかしながら、上述した提案においては、表示されている画像の内容は、その画像を選択決定しないと確認することが困難である。したがって、複数記録されている動画像データの中から、ある１シーンを検索する際には、画像選択画面において、画像を選択決定することにより、再生などを行い、中身を確認し、異なる場合には、再度、画像選択画面に戻るという動作を繰り返さなければならないというように、操作性があまりよくないため、手間と時間がかかってしまう課題があった。
【０００８】
また、画像を特定した後も、その画像が示す動画像データを早送り再生して、見たいシーンを検索しなけなければならず、さらに、手間と時間がかかってしまう課題があった。
【０００９】
本発明は、このような状況に鑑みてなされたものであり、目的の動画像データを、操作性よく、簡単に検索することができるようにするものである。
【課題を解決するための手段】
【００１０】
本発明の情報処理装置は、時間間隔を設定する時間間隔設定手段と、記録媒体に記録されている動画像データを読み出す読み出し手段と、読み出し手段により読み出された動画像データの中の画像を、時間間隔設定手段により設定された時間間隔ごとに、静止画像として切り出す切り出し手段と、切り出し手段により切り出された静止画像からなる一覧表示のデータを生成するデータ生成手段とを備えることを特徴とする。
【００１１】
時間間隔設定手段は、一覧表示が行われているときに、ユーザの操作に応じて時間間隔よりもさらに細かい時間間隔を設定するようにすることができる。
【００１２】
一覧表示において、静止画像は、円環状の軌跡上に、再生時刻順に配置されており、データ生成手段は、ユーザの操作に基づいて、配置されている静止画像の位置を、円環状の軌跡上を移動させて、一覧表示のデータを生成するようにすることができる。
【００１３】
一覧表示において、円環状の軌跡上の所定の位置に配置される静止画像が一番大きく表示され、円環状の軌跡に沿った距離が、所定の位置から離れている位置に配置される静止画像ほど、小さく表示されるようにすることができる。
【００１４】
一覧表示において、円環状の軌跡に沿った距離が、所定の位置から離れている位置に配置される静止画像の表示は禁止され、軌跡は、円環状の一部が途切れた形状で表示されるようにすることができる。
【００１５】
ユーザの操作に基づいて、一覧表示が行われている静止画像のうち、１の静止画像を選択する画像選択手段と、画像選択手段により選択された１の静止画像の再生時刻から、動画像データを再生する再生手段とをさらに備えるようにすることができる。
【００１６】
再生手段は、ユーザの操作に基づいて、動画像データを、早送り、または巻き戻しにより再生するようにすることができる。
【００１７】
データ生成手段により生成された一覧表示のデータを表示する制御を行う表示制御手段をさらに備えるようにすることができる。
【００１８】
ネットワークを介して接続される他の情報処理装置からの要求に応じて、データ生成手段により生成された一覧表示のデータを、ネットワークを介して送信するデータ送信手段をさらに備えるようにすることができる。
【００１９】
本発明の情報処理方法は、時間間隔を設定する時間間隔設定ステップと、記録媒体に記録されている動画像データを読み出す読み出しステップと、読み出しステップの処理により読み出された動画像データの中の画像を、時間間隔設定ステップの処理により設定された時間間隔ごとに、静止画像として切り出す切り出しステップと、切り出しステップの処理により切り出された静止画像からなる一覧表示のデータを生成するデータ生成ステップとを含むことを特徴とする。
【００２０】
本発明のプログラム記録媒体に記録されているプログラムは、時間間隔を設定する時間間隔設定ステップと、記録媒体に記録されている動画像データを読み出す読み出しステップと、読み出しステップの処理により読み出された動画像データの中の画像を、時間間隔設定ステップの処理により設定された時間間隔ごとに、静止画像として切り出す切り出しステップと、切り出しステップの処理により切り出された静止画像からなる一覧表示のデータを生成するデータ生成ステップとを含むことを特徴とする。
【００２１】
本発明のプログラムは、時間間隔を設定する時間間隔設定ステップと、記録媒体に記録されている動画像データを読み出す読み出しステップと、読み出しステップの処理により読み出された動画像データの中の画像を、時間間隔設定ステップの処理により設定された時間間隔ごとに、静止画像として切り出す切り出しステップと、切り出しステップの処理により切り出された静止画像からなる一覧表示のデータを生成するデータ生成ステップとを含むことを特徴とする。
【００２２】
本発明の表示制御装置は、時間間隔を設定する時間間隔設定手段と、記録媒体に記録されている動画像データを読み出す読み出し手段と、読み出し手段により読み出された動画像データの中の画像を、時間間隔設定手段により設定された時間間隔ごとに、静止画像として切り出す切り出し手段と、切り出し手段により切り出された静止画像からなる一覧表示のデータを生成するデータ生成手段と、データ生成手段により生成された一覧表示のデータを表示する制御を行う表示制御手段とを備えることを特徴とする。
【００２３】
第１の本発明においては、時間間隔が設定され、記録媒体に記録されている動画像データが読み出される。そして、読み出された動画像データの中の画像が、設定された時間間隔ごとに、静止画像として切り出され、切り出された静止画像からなる一覧表示のデータが生成される。
【００２４】
第２の本発明においては、時間間隔が設定され、記録媒体に記録されている動画像データが読み出される。そして、読み出された動画像データの中の画像が、設定された時間間隔ごとに、静止画像として切り出され、切り出された静止画像からなる一覧表示のデータが生成され、生成された一覧表示のデータを表示する制御が行われる。
【００２５】
ネットワークとは、少なくとも２つの装置が有線、または無線により接続され、ある装置から、他の装置に対して、情報の伝達をできるようにした仕組みをいう。ネットワークを介して通信する装置は、独立した装置どうしであってもよいし、１つの装置を構成している内部ブロックどうしであってもよい。
【００２６】
また、通信とは、無線通信および有線通信は勿論、無線通信と有線通信とが混在した通信、すなわち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【発明の効果】
【００２７】
本発明によれば、ユーザにとって、直感的で、快適な画像表示の操作を提供することができる。さらに、本発明によれば、目的の動画像データを簡単に検索することができる。
【発明を実施するための最良の形態】
【００２８】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２９】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００３０】
請求項１に記載の情報処理装置（例えば、図１の撮像装置１）は、時間間隔を設定する時間間隔設定手段（例えば、図２の時間計測制御部８２）と、記録媒体（例えば、図２の光ディスク５１）に記録されている動画像データを読み出す読み出し手段（例えば、図２のドライブ６８）と、読み出し手段により読み出された動画像データの中の画像を、時間間隔設定手段により設定された時間間隔ごとに、静止画像として切り出す切り出し手段（例えば、図２の画像切り出し制御部８３）と、切り出し手段により切り出された静止画像からなる一覧表示（例えば、図１０の内容一覧画面２０１）のデータを生成するデータ生成手段(例えば、図２の画面データ生成部８４)とを備えることを特徴とする。
【００３１】
請求項２に記載の情報処理装置は、時間間隔設定手段（例えば、図１１のステップＳ１０９の処理を実行する図２の時間計測制御部８２）は、一覧表示が行われているときに、ユーザの操作に応じて時間間隔よりもさらに細かい時間間隔を設定することを特徴とする。
【００３２】
請求項３に記載の情報処理装置は、一覧表示において、静止画像は、円環状の軌跡（例えば、図１０の円環状移動軌跡２１１）上に、再生時刻順に配置されており、データ生成手段は、ユーザの操作に基づいて、配置されている静止画像の位置を、円環状の軌跡上を移動させて、一覧表示のデータを生成することを特徴とする。
【００３３】
請求項４に記載の情報処理装置は、一覧表示において、円環状の軌跡上の所定の位置に配置される静止画像（例えば、図１０の画像２２１）が一番大きく表示され、円環状の軌跡に沿った距離が、所定の位置から離れている位置に配置される静止画像ほど、小さく表示されることを特徴とする。
【００３４】
請求項６に記載の情報処理装置は、ユーザの操作に基づいて、一覧表示が行われている静止画像のうち、１の静止画像を選択する画像選択手段（例えば、図２のメイン制御部６５）と、画像選択手段により選択された１の静止画像の再生時刻から、動画像データを再生する再生手段（例えば、図２の信号処理部８１）とをさらに備えることを特徴とする。
【００３５】
請求項７に記載の情報処理装置は、再生手段（例えば、図１３のステップＳ１３５またはＳ１３８の処理を実行する図２の信号処理部８１）は、ユーザの操作に基づいて、動画像データを、早送り、または巻き戻しにより再生することを特徴とする。
【００３６】
請求項８に記載の情報処理装置は、データ生成手段により生成された一覧表示のデータを表示する制御を行う表示制御手段（例えば、図２の表示制御部６６）をさらに備えることを特徴とする。
【００３７】
請求項９に記載の情報処理装置（例えば、図１５のサーバ３５１）は、ネットワーク（例えば、図１５のネットワーク３５３）を介して接続される他の情報処理装置（例えば、図１５のＰＣ３５２）からの要求に応じて、データ生成手段により生成された一覧表示のデータを、ネットワークを介して送信するデータ送信手段（例えば、図２の通信部７２）をさらに備えることを特徴とする。
【００３８】
請求項１０に記載の情報処理方法は、時間間隔を設定する時間間隔設定ステップ（例えば、図７のステップＳ５７）と、記録媒体に記録されている動画像データを読み出す読み出しステップ（例えば、図９のステップＳ７１）と、読み出しステップの処理により読み出された動画像データの中の画像を、時間間隔設定ステップの処理により設定された時間間隔ごとに、静止画像として切り出す切り出しステップ（例えば、図９のステップＳ７２）と、切り出しステップの処理により切り出された静止画像からなる一覧表示のデータを生成するデータ生成ステップ（例えば、図９のステップＳ７４）とを含むことを特徴とする。
【００３９】
なお、請求項１１に記載のプログラム記録媒体および請求項１２に記載のプログラムも、上述した請求項１０に記載の情報処理方法と基本的に同様の構成であるため、繰り返しになるのでその説明は省略する。
【００４０】
請求項１３に記載の表示制御装置（例えば、図１の撮像装置１）は、時間間隔を設定する時間間隔設定手段（例えば、図２の時間計測制御部８２）と、記録媒体（例えば、図２の光ディスク５１）に記録されている動画像データを読み出す読み出し手段（例えば、図２のドライブ６８）と、読み出し手段により読み出された動画像データの中の画像を、時間間隔設定手段により設定された時間間隔ごとに、静止画像として切り出す切り出し手段（例えば、図２の画像切り出し制御部８３）と、切り出し手段により切り出された静止画像からなる一覧表示（例えば、図１０の内容一覧画面２０１）のデータを生成するデータ生成手段(例えば、図２の画面データ生成部８４)と、データ生成手段により生成された一覧表示のデータを表示する制御を行う表示制御手段（例えば、図２の表示制御部６６）とを備えることを特徴とする。
【００４１】
以下、図を参照して本発明の実施の形態について説明する。
【００４２】
図１は、本発明を適用した撮像装置１の外観の構成例を表している。図１の例において、撮像装置１は、カムコーダなどからなり、筐体１１およびＬＣＤ（Liquid Crystal Display）部１２により構成される。
【００４３】
筐体１１の図中手前の面には、上から順に、ファインダ２２、電源スイッチ２３、および、方向指示キー２４が設けられている。ファインダ２２は、被写体を確認するためにユーザにより使用される。
【００４４】
電源スイッチ２３は、軸２３ａおよび係止部２３ｂを有する回転式のスイッチで構成され、撮像装置１の電源をオンし、かつ、画像選択モードおよび撮影モードからなる撮像装置１の電源モードを切り換えるためにユーザにより操作される。
【００４５】
電源スイッチ２３は、軸２３ａを中心に時計回りに回動することができるが、反時計回りには、係止部２３ｂを押下しながらでなければ、回動することができないように構成されている。係止部２３ｂは、その一部分が、電源スイッチ２３と接続されており、電源スイッチ２３側に力が加えられることにより、その内部側に押し込められ、力を加えることを停止すると、自らの弾性力によって元の状態に戻るようになっている。
【００４６】
したがって、ユーザは、電源スイッチ２３を、軸２３ａを中心に時計回りに、所定の回動角に回動することで、撮像装置１の電源をオンし、撮像装置１の電源モードを、画像選択モードに設定することができ、また、係止部２３ｂを押下しながら、電源スイッチ２３を、軸２３ａを中心に反時計回りに、所定の回動角に回動することで、撮像装置１の電源をオンし、撮像装置１の電源モードを、撮影モードに設定することができる。
【００４７】
なお、軸２３ａは、電源スイッチ２３の軸として機能する他、撮像装置１の電源モードが撮影モードの場合には、録画ボタンとしても機能する。すなわち、ユーザは、撮像装置１の電源モードが撮影モードの場合に、軸２３ａを押下することにより、カメラ部２５による録画開始または録画終了を指示することができる。
【００４８】
方向指示部２４は、ジョグダイヤル（回転押圧操作素子）２４ａ、左方向指示ボタン２４ｂ、および右方向指示ボタン２４ｃにより構成されている。
【００４９】
ジョグダイヤル２４ａは、上下方向に回動自在に構成されており、筐体１１の表面から僅かに突出した状態で設けられている。また、ジョグダイヤル２４ａは、筐体１１側に押圧されることにより、決定（選択）ボタンとして機能する。
【００５０】
したがって、ユーザは、ジョグダイヤル２４ａを上下方向に回動させたり、あるいは、左方向指示ボタン２４ｂまたは右方向指示ボタン２４ｃを押下することで、ＬＣＤ２６の画面に表示される各種の設定内容を選択し、さらに、ジョグダイヤル２４ａを筐体１１側に押下することで、選択した処理を決定して、撮像装置１に実行させることができる。
【００５１】
筐体１１の、ファインダ２２などが設けられている面とは、反対側の面の上部には、被写体を撮像する、図示せぬレンズおよびＣＣＤ（Charge-Coupled Devices）撮像素子（以下、単にＣＣＤと称する）６１（図２）などにより構成されるカメラ部２５が設けられている。
【００５２】
ＬＣＤ部１２は、筐体１１の図中左側の側面に、撮影時には開かれ、収納時には筐体１１に沿うように折りたたみ、閉じることができるように、開閉自在に、図示せぬヒンジなどにより接続されている。ＬＣＤ部１２には、カメラ部２５による撮影中の映像や、撮像装置１に装着される光ディスク５１（図２）に記録されているデータの一覧表示などを表示するＬＣＤ２６が配置されている。
【００５３】
ユーザは、ファインダ２２から見える被写体、またはＬＣＤ２６にリアルタイムに表示される撮影中の被写体の映像を見ながら、カメラ部２５を用いて被写体を撮像する。これにより、カメラ部２５から入力される被写体の映像データは、撮像装置１に装着される光ディスク５１に記録される。
【００５４】
図２は、撮像装置１の電気的な構成例を表している。
【００５５】
撮像装置１は、光ディスク５１を着脱することができる。撮像装置１は、ユーザによる電源スイッチ２３や方向指示部２４の操作に基づいて、カメラ部２５で撮像されたデータを、撮像装置１に装着される光ディスク５１に記録したり、光ディスク５１に記録されているデータを読み出し、ＬＣＤ２６などに表示する。光ディスク５１は、例えば、Blu-ray Disc、ＣＤ−ＲＷ（Compact Disk ReWritable）、ＤＶＤ＋ＲＷ(Digital Versatile Disk ReWritable)などの追記可能な記録媒体などにより構成される。
【００５６】
また、撮像装置１は、インターネットやＬＡＮ(local area network)などで構成されるネットワーク５２を介して、ＰＣ（パーソナルコンピュータ）５３に接続し、ＰＣ５３に記録されているデータを、ＬＣＤ２６などに表示したり、または、取得し、光ディスク５１に記録したりする。
【００５７】
ＣＣＤ６１は、被写体を撮像し、撮像した被写体の映像に対応する映像データを、メイン動作制御部６５に供給する。
【００５８】
電源スイッチ検出部６２は、ユーザによる電源スイッチ２３の操作を検出し、検出された操作に対応して、電源投入信号や電源モード切替信号などを、メイン動作制御部６５に供給する。
【００５９】
すなわち、電源スイッチ検出部６２は、ユーザが、電源スイッチ２３を、軸２３ａを中心に時計回りに、所定の回動角に回動した場合、撮像装置１の電源投入信号と、撮像装置１の電源モードを画像選択モードに設定する電源モード切替信号を、メイン動作制御部６５に供給する。また、電源スイッチ検出部６２は、ユーザが、係止部２３ｂを押下しながら、電源スイッチ２３を、軸２３ａを中心に反時計回りに、所定の回動角に回動した場合、撮像装置１の電源投入信号と、撮像装置１の電源モードを撮影モードに設定する電源モード切替信号を、メイン動作制御部６５に供給する。
【００６０】
録画スイッチ検出部６３は、撮像装置１の電源モードが撮影モードの場合に、ユーザが、電源スイッチ２３の軸２３ａを押下したか否かを検出し、検出された操作に対応して、録画開始信号または録画終了信号を、メイン動作制御部６５に供給する。
【００６１】
方向指示検出部６４は、ユーザによる方向指示部２４の操作を検出し、検出された操作に対応した指示信号を、メイン動作制御部６５に供給する。
【００６２】
すなわち、方向指示検出部６４は、ユーザがジョグダイヤル２４ａを上方向に回動させた場合、上方向の指示信号を、メイン動作制御部６５に供給し、ユーザがジョグダイヤル２４ａを下方向に回動させた場合、下方向の指示信号を、メイン動作制御部６５に供給する。また、方向指示検出部６４は、ユーザが左方向指示ボタン２４ｂを押下した場合、左方向の指示信号を、メイン動作制御部６５に供給し、ユーザが右方向指示ボタン２４ｃを押下した場合、右方向の指示信号を、メイン動作制御部６５に供給する。さらに、方向指示検出部６４は、ユーザがジョグダイヤル２４ａを筐体１１側に押下した場合、決定の指示信号をメイン動作制御部６５に供給する。
【００６３】
メイン動作制御部６５は、信号処理制御部８１、時間計測制御部８２、画像切り出し制御部８３、および画面データ生成部８４を有しており、電源スイッチ検出部６２、録画スイッチ検出部６３、および方向指示検出部６４からの指示信号に基づいて、撮像装置１の各部を制御する。
【００６４】
すなわち、撮像装置１の電源モードが撮影モードの場合、メイン動作制御部６５は、表示制御部６６を制御し、ＣＣＤ６１から入力される映像データに対応する映像を、ＬＣＤ２６に表示させたり、信号処理制御部８１を制御し、ＣＣＤ６１から入力される映像データに、所定の信号処理を実行させ、信号処理された映像データを、ドライブ６８を介して、光ディスク５１に記録させる。これにより、映像データは、光ディスク５１に記録される。
【００６５】
一方、撮像装置１の電源モードが画像選択モードの場合、メイン動作制御部６５は、方向指示検出部６４からの指示信号に応じた表示モードに設定し、設定された表示モードに応じて、信号処理制御部８１、時間計測制御部８２、画像切り出し制御部８３、画面データ生成部８４、および表示制御部６６を制御し、光ディスク５１に記録された映像データに対応する画像を、設定された表示モードで、ＬＣＤ２６に表示させる。
【００６６】
ここで、撮像装置１は、動画ファイル一覧モード、内容一覧表示モード、およびジョグダイヤル操作モードの表示モードを有している。
【００６７】
動画ファイル一覧モードは、図５を参照して詳しく後述するが、光ディスク５１に記録されている映像データの先頭画像を一覧で表示させる表示モードであり、撮像装置１において、初期モードとして設定されている。内容一覧表示モードは、図１０を参照して詳しく後述するが、選択された映像データを構成する画像のうち、設定された時間間隔の画像を一覧で表示させる表示モードである。ジョグダイヤル操作モードは、図８を参照して詳しく後述するが、選択された映像データの画像を子画面に表示させ、子画面内で、その映像データの早送りまたは巻き戻し再生させる表示モードである。
【００６８】
信号処理部８１は、マルチプレクサやデマルチプレクサなどにより構成され、ＣＣＤ６１から入力される映像データに、符号化や多重化など所定の信号処理を施し、ドライブ６８に供給したり、光ディスク５１に記録される映像データを、ドライブ６８を介して入力し、入力された映像データを復号し、動画用メモリ６９に展開する。時間計測制御部８２は、時間間隔を設定し、内蔵するクロックで計時動作を行うことにより、設定した時間間隔が経過するまで待機しており、設定した時間間隔が経過した場合、画像切り出し制御部８３に通知する。
【００６９】
画像切り出し制御部８３は、信号処理部８１により動画用メモリ６９に展開された映像データを構成する画像のうち、先頭の画像、または、時間計測制御部８２により通知される時間間隔ごとの画像を、静止画像として切り出し、切り出した静止画像を、制御用メモリ７０に貼り付ける。画面データ生成部８４は、制御用メモリ７０に貼り付けられた静止画像のデータに、表示用メモリ７１に記録されているカーソル表示させるためのデータなどを重畳して、画面データを生成し、生成した画面データを、表示制御部６６に供給する。
【００７０】
表示制御部６６は、画面データ生成部８４からの画面データに対応する映像を、ＬＣＤ２６に表示させる。
【００７１】
ドライブ６８は、信号処理部８１により信号処理が施された映像データを、装着される光ディスク５１に記録したり、光ディスク５１に記録されている映像データを読み出し、読み出した映像データを、信号処理部８１に供給する。
【００７２】
動画用メモリ６９、制御用メモリ７０、および表示用メモリ７１は、ＲＡＭ（Random Access Memory）などで構成される。動画用メモリ６９は、信号処理部８１により展開された映像データを記憶する。制御用メモリ７０は、メイン動作制御部６５や時間計測制御部８２による各種の設定情報を記憶したり、画像切り出し制御部８３により映像データから切り出された静止画像を記憶する。表示用メモリ７１は、カーソル表示させるための所定の表示データなどを予め記憶している。
【００７３】
通信部７２は、ネットワーク５２に接続し、ネットワーク５２に接続されるＰＣ５３に記録されている種々のデータ、またはその他の情報を取得し、撮像装置１に装着された光ディスク５１に記録したり、あるいは、撮像装置１に装着された光ディスク５１に記録されている映像データなどを、ネットワーク５２を介してＰＣ５３に送信する。なお、通信部７２には、直接他の装置を接続されるようにしてもよい。
【００７４】
さらに、撮像装置１は、通信部７２およびネットワーク５２を介して、ＰＣ５３の図示せぬハードディスクなどに記録されている映像データについても、上述したように、撮像装置１において読み出して、ＬＣＤ２６に表示したり、あるいは、上述したように生成した画面データを、ＰＣ５３に供給し、ＰＣ５３に設けられるモニタに表示させるようにしてよい。なお、通信部７２は、IEEE（Institute of Electrical and Electronics Engineers）1394、ＵＳＢ（Universal Serial Bus）などの有線用インタフェースから構成されるようにしてもよいし、光や電波による無線インタフェースから構成されるようにしてもよい。すなわち、ネットワーク５２は、有線、無線のいずれであってもよく、通信部７２は、有線、無線のいずれのインタフェースであってもよい。
【００７５】
なお、実際には、図２の撮像装置１においては、映像データと同様に、音声データが入力され、所定の信号処理が実行され、光ディスク５１に記録されたり、音声として図示せぬスピーカなどから出力されるが、その説明および図示は省略されている。
【００７６】
次に、図３のフローチャートを参照して、撮像装置１の表示制御処理を説明する。例えば、ユーザは、光ディスク５１に記録されている映像データを探すために、撮像装置１に光ディスク５１を装着し、撮像装置１の電源スイッチ２３を、軸２３ａを中心に時計回りに、所定の回動角に回動する。
【００７７】
電源スイッチ検出部６２は、ステップＳ１１において、ユーザによる電源スイッチ２３の操作（すなわち、ユーザにより電源スイッチ２３が所定の回動角に回動されたこと）を検出するまで待機しており、電源スイッチ２３が、軸２３ａを中心に時計回りに所定の回動角に回動されたことを検出すると、撮像装置１の電源投入信号と、撮像装置１の電源モードを画像選択モードに設定する電源モード切替信号を、メイン動作制御部６５に供給し、ステップＳ１２に進む。
【００７８】
メイン動作制御部６５は、電源スイッチ検出部６２からの電源投入信号と、電源モード切替信号を入力すると、ステップＳ１２において、電源投入信号に応じて、図示せぬ電源部などを制御し、撮像装置１の本体の電源を投入（オン）させ、ステップＳ１３に進む。
【００７９】
メイン動作制御部６５は、ステップＳ１３において、電源スイッチ検出部６２からの電源モード切替信号に応じて、撮像装置１の電源モードを画像選択モードに設定し、設定された画像選択モードを、制御用メモリ７０に記憶させ、ステップＳ１４に進み、撮像装置１の表示モードを、画像選択モードにおける初期モードとして設定されている動画ファイル一覧モードに設定し、設定された動画ファイル一覧モードを、制御用メモリ７０に記憶させ、ステップＳ１５に進む。
【００８０】
メイン動作制御部６５は、ステップＳ１５において、ドライブ６８を制御し、光ディスク５１に記録されているデータを検索させ、その検索結果に基づいて、光ディスク５１に、データが記録されているか否かを判定し、光ディスク５１に、データが記録されていると判定した場合、ステップＳ１６に進み、動画ファイル一覧モードの画面データ（以下、ファイル一覧画面データとも称する）生成処理を実行する。このファイル一覧画面データ生成処理を、図４のフローチャートを参照して説明する。
【００８１】
メイン動作制御部６５は、図４のステップＳ２１において、信号処理部８１を制御し、光ディスク５１に記録されている映像データを、ドライブ６８を介して読み出させ、読み出した映像データを復号させ、動画用メモリ６９に展開させ、ステップＳ２２に進む。メイン動作制御部６５は、ステップＳ２２において、画像切り出し制御部８３を制御し、動画用メモリ６９に展開された映像データの先頭画像を、静止画像として切り出させ、切り出した静止画像を、制御用メモリ７０に貼り付けさせ、ステップＳ２３に進む。
【００８２】
メイン動作制御部６５は、ステップＳ２３において、光ディスク５１に記録されているすべての映像データに対して処理が終了したか否かを判定し、すべての映像データに対して処理が終了していないと判定した場合、ステップＳ２１に戻り、それ以降の処理を繰り返す。
【００８３】
ステップＳ２３において、すべての映像データに対して処理が終了したと判定された場合、メイン動作制御部６５は、ステップＳ２４に進み、画面データ生成部８４を制御し、制御用メモリ７０に貼り付けられた静止画像のデータに、表示用メモリ７１に記録されているカーソル表示させるためのデータなどを重畳して、ファイル一覧画面データを生成し、生成したファイル一覧画面データを、表示制御部６６に供給し、図３のステップＳ１６に戻り、ステップＳ１７に進む。
【００８４】
メイン動作制御部６５は、ステップＳ１７において、表示制御部６６を制御し、画面データ生成部８４からのファイル一覧画面データを、ＬＣＤ２６に表示させ、表示制御処理を終了する。これにより、ＬＣＤ２６には、図５に示されるようなファイル一覧画面が表示される。
【００８５】
一方、ステップＳ１５において、光ディスク５１に、データが記録されていないと判定された場合、ステップＳ１６の処理はスキップされ、ステップＳ１７に進む。この場合、メイン動作制御部６５は、ステップＳ１７において、表示制御部６６を制御し、データが記録されていないことを示す画面データをＬＣＤ２６に表示させ、図３の表示制御処理を終了する。
【００８６】
図５は、動画ファイル一覧モードの場合に、ＬＣＤ２６に表示されるファイル一覧画面の例を示す。
【００８７】
図５のファイル一覧画面１０１において、光ディスク５１に記録されているすべての映像データの先頭画像は、画像１１１乃至１２０として、円環状移動軌跡１３１上の最上部の位置から、反時計回りに所定の位置に配置され、円環状で表示される。
【００８８】
なお、図５の例においては、画像１１１乃至画像１１５に示される「ａ」、「Ａ」、「０」、「あ」および「一」は、それぞれ表示される画像の一部を表している。また、画像１１１乃至画像１１５に示される「00:00:00」は、画像１１１乃至画像１１５に重畳される、各画像の再生時刻を表しており、これにより画像１１１乃至画像１１５が先頭画像であることを示すものである。なお、画像１１６乃至１２０についても同様であるが、説明の便宜上、省略されている。
【００８９】
円環状移動軌跡１３１は、真円ではなく、楕円をさらに変形したような歪な円環状の軌跡で構成される。円環状移動軌跡１３１は、１０の画像を所定の位置に配置するように構成されており、円環状移動軌跡１３１に配置される画像の中で、左中央部の位置に配置される画像を一番大きく表示させ、次いで、その前後の位置に配置される画像を、左中央部に配置される画像よりも少し小さく表示させ、さらに、その前後の位置に配置される画像の、それぞれ前や後の位置に配置される画像を、左中央部の前後の位置に配置される画像よりもさらに小さく表示させるように形成されている。すなわち、円環状移動軌跡１３１は、左中央部の画像から、円環状移動軌跡１３１に沿って、配置位置が離れるにつれて、配置される画像を徐々に小さく表示させることにより、表示される画像が遠近感を有するように形成されている。なお、円環状移動軌跡１３１は、楕円の軌跡で構成されるようにしてもよい。
【００９０】
したがって、図５の例の場合、円環状移動軌跡１３１において、左中央部の位置に配置される画像１１３が、一番大きく表示され、画像１１３の前後の位置に配置される画像１１２および１１４が、画像１１３よりも少し小さく表示され、画像１１２の前の位置に配置される画像１１１、および画像１１４の後の位置に配置される画像１１５が、画像１１２および１１４よりも少し小さく表示される。さらに、画像１１１の前の位置に配置される画像１２０、および画像１１５の後の位置に配置される画像１１６が、画像１１１および１１５よりも少し小さく表示され、画像１２０の前の位置に配置される画像１１９、および画像１１６の後の位置に配置される画像１１７が、画像１２０および１１６よりも少し小さく表示され、画像１１９の前であり、画像１１７の後の位置に配置される画像１１８が、画像１１９および１１７よりも少し小さく表示される。
【００９１】
また、円環状移動軌跡１３１の左中央部に位置する画像（いまの場合、画像１１３）には、画像１１３を選択するためのカーソル１３２が表示される。
【００９２】
以上のように、円環状移動軌跡１３１においては、カーソル１３２により選択される、左中央部の位置に配置される画像１１３が一番大きく表示され、左中央部から円環状移動軌跡１３１に沿った距離が最も離れている位置（右中央部）に配置される画像１１８が一番小さく表示される。
【００９３】
そして、図５に示されるように、画像１１３がカーソル１３２により選択された状態において、ユーザによりジョグダイヤル２４ａが筐体１１側に押下されると、画像１１３に対応する映像データの再生が決定される。これにより、撮像装置１においては、画像１１３に対応する映像データが再生され、再生された映像データの映像が、図６に示されるように、ＬＣＤ２６の全画面に表示される。
【００９４】
例えば、画像１１３に対応する映像データの再生時間が１０秒である場合、画像１１３に対応する映像データが再生されると、図６に示されるように、ＬＣＤ２６には、再生時刻ｔ＝０の画像１５１−０、再生時刻ｔ＝１の画像１５１−１、再生時刻ｔ＝２の画像１５１−２、…、再生時刻ｔ＝１０の画像１５１−１０が次々に表示される。
【００９５】
そして、選択決定された画像１１３が対応する映像データの再生が終了すると、ＬＣＤ２６の表示は、図５に示されるファイル一覧画面１０１に戻る。
【００９６】
さらに、このファイル一覧画面１０１において、ユーザによりジョグダイヤル２４ａを上方向に回動されると、すべての画像１１１乃至１２０の位置は、円環状移動軌跡１３１上を、時計回りに移動されて表示される。すなわち、画像１１２は、画像１１１が配置されていた位置に移動されて表示され、画像１１３は、画像１１２が配置されていた位置に移動されて表示され、画像１１４は、画像１１３が配置されていた位置に移動されて表示され、他の画像も同様に、１つ前の画像が配置されていた位置に移動されて表示される。このとき、画像は、移動した位置の大きさに応じた大きさで表示される。
【００９７】
したがって、移動後のファイル一覧画面１０１においては、画像１１４がカーソル１３２により選択された状態で表示される。
【００９８】
逆に、ユーザによりジョグダイヤル２４ａを下方向に回動された場合には、すべての画像１１１乃至１２０の位置は、円環状移動軌跡１３１上を、反時計回りに移動されて表示される。すなわち、画像１１１は、画像１１２が配置されていた位置に移動されて表示され、画像１１２は、画像１１３が配置されていた位置に移動されて表示され、画像１１３は、画像１１４が配置されていた位置に移動されて表示され、画像１１５は、画像１１４が配置されていた位置に移動されて表示され、他の画像も同様に、１つ前の画像が配置されていた位置に移動されて表示される。
【００９９】
したがって、移動後のファイル一覧画面１０１においては、画像１１２がカーソル１３２により選択された状態で表示される。
【０１００】
なお、図５の例においては、ユーザによりジョグダイヤル２４ａの回動により、画像が上または下方向に１つ移動される例を説明したが、ジョグダイヤル２４ａの回動に応じて、一度に２つや３つなど移動するようにしてもよい。
【０１０１】
また、図５の例においては、光ディスク５１に、画像１１１乃至１２０に対応する１０の映像データが記録されている場合を説明したが、光ディスク５１に１０未満の映像データしか記録されていない場合（例えば、８の映像データが記録されている場合）には、例えば、円環状移動軌跡１３１において、画像１１８および画像１１９は表示されないが、それらの画像の画枠のみ表示させてもよい。
【０１０２】
逆に、光ディスク５１に１０以上の映像データが記録されている場合には、映像データ数に合わせて、表示される画像数が増えるのではなく、表示される画像数（いまの場合、１０画像）は、設定されたまま、変化させずに、ジョグダイヤル２４ａにより上方向が指示された場合には、例えば、画像１２０が表示されていた位置には画像１１１を移動して表示させず、その代わりに、その位置に、画像１２０の映像データの次に記録されている映像データの先頭画像を表示させる、すなわち、ジョグダイヤル２４ａの回動に応じて、すべての画像を順に表示させるようにしてもよい。
【０１０３】
さらに、円環状移動軌跡１３１においては、後方の一部（例えば、画像１１７と画像１１９の間の一部）が途切れて表示されないようにしてもよい。すなわち、円環状移動軌跡１３１において、左中央部からの円環状移動軌跡１３１に沿った距離が、画像１１７と画像１１９よりも遠い画像については、存在はしても表示させないようにしてもよい。
【０１０４】
次に、図７のフローチャートを参照して、動画ファイル一覧モードが設定されている場合の表示制御処理を説明する。すなわち、この場合、光ディスク５１には、映像データが記録されており、ＬＣＤ６２には、図５のファイル一覧画面１０１が表示されている。
【０１０５】
ユーザは、ＬＣＤ６２に表示されているファイル一覧画面１０１を見ながら、方向指示部２４を操作して、光ディスク５１に記録されている映像データをさらに詳しく検索しようとする。
【０１０６】
方向指示検出部６４は、ステップＳ５１において、方向指示部２４が操作されるまで待機しており、例えば、ユーザが、方向指示部２４を構成する、ジョグダイヤル２４ａを回動させたり、左方向指示ボタン２４ｂ、または右方向指示ボタン２４ｃを押下した場合、方向指示部２４が操作されたと判定し、ステップＳ５２に進み、左方向の操作を検出したか否かを判定し、左方向の操作を検出したと判定した場合、左方向の指示信号を、メイン動作制御部６５に供給し、ステップＳ５３に進む。
【０１０７】
メイン動作制御部６５は、方向指示検出部６４からの左方向の指示信号を入力すると、ステップＳ５３において、左方向の指示信号に応じて、撮像装置１の表示モードを、設定されている動画ファイル一覧モードから切り換えて、ジョグダイヤル操作モードに設定し、設定されたジョグダイヤル操作モードを、制御用メモリ７０に記憶させ、ステップＳ５４に進む。
【０１０８】
メイン動作制御部６５は、ステップＳ５４において、画面データ生成部８４を制御し、設定されたジョグダイヤル操作モードに応じた画面データ（以下、ファイル操作画面データとも称する）を生成させ、生成したファイル操作画面データを、表示制御部６６に供給させ、ステップＳ６４に進む。なお、このとき、画面データ生成部８４は、制御用メモリ７０に貼り付けられている静止画像に基づいて、ファイル操作画面データを生成する。
【０１０９】
メイン動作制御部６５は、ステップＳ６４において、表示制御部６６を制御し、画面データ生成部８４からのファイル操作画面データを、ＬＣＤ２６に表示させ、表示制御処理を終了する。これにより、ＬＣＤ２６には、図８に示されるようなファイル操作画面が表示される。
【０１１０】
図８は、ジョグダイヤル操作モードの場合に、ＬＣＤ２６に表示されるファイル操作画面の例を示す。
【０１１１】
図８のファイル操作画面１７１においては、その右側に、図５のファイル一覧画面１０１に表示されていた円環状移動軌跡１３１が、その軌跡形状を残したまま小さく、アイコン１８１に示されるように、アイコン化されて表示されるとともに、ユーザが、左方向指示ボタン２４ｂを押下したときに、ファイル一覧画面１０１において、円環状移動軌跡１３１の左中央部に配置され、カーソル１３２により選択されていた画像（図５の場合、画像１１３）が、アイコン１８１の左側に配置される子画面１８２に表示される。なお、子画面１８２は、図５のファイル一覧画面１０１における画像１１３の大きさよりも大きく構成される。
【０１１２】
このようなファイル操作画面１７１において、例えば、ユーザによりジョグダイヤル２４ａを上方向に回動されると、子画面１８２に表示されている画像１１３に対応する映像データに、巻き戻し再生処理が実行され、子画面１８２には、巻き戻し再生処理の実行による映像が表示される。また、逆に、ユーザによりジョグダイヤル２４ａを下方向に回動されると、子画面１８２に表示されている画像１１３に対応する映像データに、早送り再生処理が実行され、子画面１８２には、早送り再生処理の実行による映像が表示される。
【０１１３】
なお、子画面１８２に表示されている画像が先頭画像の場合には、巻き戻し再生処理は実行されず、子画面１８２に表示されている画像が最後尾の画像の場合には、早送り再生処理は実行されない。
【０１１４】
図７に戻って、ステップＳ５２において、左方向の操作を検出していないと判定された場合、方向指示検出部６４は、ステップＳ５５に進み、右方向の操作を検出したか否かを判定し、右方向の操作を検出したと判定した場合、右方向の指示信号を、メイン動作制御部６５に供給し、ステップＳ５６に進む。
【０１１５】
メイン動作制御部６５は、方向指示検出部６４からの右方向の指示信号を入力すると、ステップＳ５６において、右方向の指示信号に応じて、撮像装置１の表示モードを、設定されている動画ファイル一覧モードから切り換えて、内容一覧表示モードに設定し、設定された内容一覧表示モードを、制御用メモリ７０に記憶し、ステップＳ５７に進む。
【０１１６】
メイン動作制御部６５は、ステップＳ５７において、時間計測制御部８２を制御し、時間間隔（例えば、５秒間隔）を設定させ、設定した時間間隔を、制御用メモリ７０に記憶させ、ステップＳ５８に進む。なお、いまの場合、時間間隔の初期値は、５秒間隔として設定されているが、設定変更も可能である。
【０１１７】
メイン動作制御部６５は、ステップＳ５８において、内容一覧表示モードの画面データ（以下、内容一覧画面データとも称する）生成処理を実行する。
【０１１８】
この内容一覧画面データ生成処理を、図９のフローチャートを参照して説明する。なお、図９の例においては、図５の画像１１３が、円環状移動軌跡１３１の左中央部に配置され、カーソル１３２により選択されていたときに、ユーザが右方向指示ボタン２４ｃを押下した場合を説明する。
【０１１９】
メイン動作制御部６５は、図９のステップＳ７１において、信号処理部８１を制御し、選択されている画像１１３が対応する映像データを、ドライブ６８を介して、光ディスク５１から読み出させ、読み出したデータを復号させ、動画用メモリ６９に展開させ、ステップＳ７２に進む。
【０１２０】
メイン動作制御部６５は、ステップＳ７２において、時間計測制御部８２を制御し、設定された時間間隔を計測させ、設定された時間間隔が経過したとき、画像切り出し制御部８３を制御し、動画用メモリ６９に展開された映像データを構成する画像の中から、時間計測制御部８２により計測された時間間隔の画像を、静止画像として切り出させ、切り出した静止画像を、制御用メモリ７０に貼り付けさせ、ステップＳ７３に進む。
【０１２１】
メイン動作制御部６５は、ステップＳ７３において、画像１１３が対応する映像データのすべての再生時間に対して処理が終了したか否かを判定し、映像データのすべての再生時間に対して処理が終了していないと判定した場合、ステップＳ７２に戻り、それ以降の処理を繰り返す。すなわち、この場合、すべての再生時間において、５秒間隔で画像が切り出され、再生時刻が０秒である画像から、５秒間隔（再生時刻が５秒や、１０秒）の画像が、静止画像として制御用メモリ７０に貼り付けられる。
【０１２２】
ステップＳ７３において、すべてのファイルに対して処理が終了したと判定された場合、メイン動作制御部６５は、ステップＳ７４に進み、画面データ生成部８４を制御し、制御用メモリ７０に貼り付けられた静止画像のデータに、表示用メモリ７１に記録されているカーソル表示させるためのデータなどを重畳して、内容一覧画面データを生成し、生成した内容一覧画面データを、表示制御部６６に供給し、図７のステップＳ５８に戻り、ステップＳ６４に進む。
【０１２３】
メイン動作制御部６５は、ステップＳ６４において、表示制御部６６を制御し、画面データ生成部８４からの内容一覧画面データを、ＬＣＤ２６に表示させ、図７の表示制御処理を終了する。これにより、ＬＣＤ２６には、図１０に示されるような内容一覧画面が表示される。
【０１２４】
図１０は、内容一覧表示モードの場合に、ＬＣＤ２６に表示される内容一覧画面の例を示す。
【０１２５】
図１０の内容一覧画面２０１においては、その左側に、図５のファイル一覧画面１０１に表示されていた円環状移動軌跡１３１が、その軌跡形状を残したまま小さく、アイコン１８１に示されるように、アイコン化されて表示されるとともに、アイコン１８１の右側には、円環状移動軌跡１３１と同様の構成に構成される、内容一覧表示用の円環状移動軌跡２１１が表示されている。
【０１２６】
円環状移動軌跡２１１上には、左中央部の位置から、反時計回りに順に、ユーザが右方向指示ボタン２４ｃを押下したときに、ファイル一覧画面１０１において、円環状移動軌跡１３１の左中央部に配置され、カーソル１３２により選択されていた画像（図５の場合、画像１１３）が対応する映像データが、画像１１３の再生時刻（すなわち、０秒）から、５秒間隔で切り取られ、制御用メモリ７０に貼り付けられた静止画像が、画像２２１、画像２２２、および画像２２３として、所定の位置に配置されている。したがって、画像２２１は、映像データにおける０秒後の画像（先頭画像、すなわち、図５の画像１３３）であり、画像２２２は、映像データにおける５秒後の画像であり、画像２３３は、１０秒後の画像である。
【０１２７】
なお、円環状移動軌跡２１１上には、画像１３３に対応する映像データは、再生時間が１０秒で構成されるため、３つの画像しか配置されておらず、表示されていない。
【０１２８】
この内容一覧画面２０１において、ユーザによりジョグダイヤル２４ａを上方向に回動されると、表示されている画像２２１乃至２２３の位置が、円環状移動軌跡２１１上を、時計回りに移動されて表示される。すなわち、画像２２１は、図５の画像１１２が配置されていた（図１０においては表示されていない）位置に移動されて表示され、画像２２２は、画像２２１が配置されていた位置に移動されて、カーソル１３２により選択された状態で表示され、画像２２３は、画像２２２が配置されていた位置に移動されて表示され、さらに、画像２２３が配置されていた位置には、画像は表示されない。この場合も、画像は、移動した位置の大きさに応じた大きさで表示される。
【０１２９】
なお、表示される画像のうちの最後尾の画像（図１０の場合、画像２２３）が、円環状移動軌跡２１１の左中央部の位置に配置され、カーソル１３２により選択されている場合には、ユーザによりジョグダイヤル２４ａを上方向に回動されても、内容一覧画面２０１の表示は変わらない。
【０１３０】
逆に、ユーザによりジョグダイヤル２４ａを下方向に回動された場合には、表示されている画像２２１乃至２２３が、円環状移動軌跡２１１上を、反時計回りに移動されて表示される。このとき、表示される画像のうちの先頭の画像（図１０の場合、画像２２１）が、円環状移動軌跡２１１の左中央部の位置に配置され、カーソル１３２により選択されている場合には、ユーザによりジョグダイヤル２４ａを下方向に回動されても、内容一覧画面２０１の表示は変わらない。
【０１３１】
それ以外の場合、例えば、画像２２１が、図５の画像１１２が配置されていた位置に移動されて表示され、画像２２２が、画像２２１が配置されていた位置に移動されて、カーソル１３２により選択された状態で表示され、画像２２３が、画像２２２が配置されていた位置に移動されて表示されている場合に、ユーザによりジョグダイヤル２４ａを下方向に回動されると、画像２２１は、図５の画像１１２が配置されていた位置から、図１０の自身（画像２２１）の位置へ移動されて、カーソル１３２により選択された状態で表示され、画像２２２は、図１０の画像２２１の位置から、図１０の自身（画像２２２）の位置へ移動されて、表示され、画像２２３は、図１０の画像２２２の位置から、図１０の自身（画像２２３）の位置へ移動されて、表示される。
【０１３２】
したがって、移動後の内容一覧画面２０１において、図５の画像１１２が配置された位置には、画像は表示されない。
【０１３３】
図７に戻って、ステップＳ５５において、右方向の操作を検出していないと判定された場合、方向指示検出部６４は、ステップＳ５９に進み、上方向の操作を検出したか否かを判定し、上方向の操作を検出したと判定した場合、上方向の指示信号を、メイン動作制御部６５に供給し、ステップＳ６０に進む。
【０１３４】
メイン動作制御部６５は、方向指示検出部６４からの上方向の指示信号を入力すると、ステップＳ６０において、上方向の指示信号に応じて、画面データ生成部８４を制御し、図５を参照して上述したように、すべての画像１１１乃至１２０の位置を、円環状移動軌跡１３１上を、時計回りに移動させるように、かつ、その位置の大きさに応じた大きさで表示されるように、制御用メモリ７０に貼り付けられた静止画像のデータに、表示用メモリ７１に記録されているカーソル表示させるためのデータなどを重畳して、ファイル一覧画面データを更新（生成）し、更新したファイル一覧画面データを、表示制御部６６に供給し、ステップＳ６４に進む。
【０１３５】
メイン動作制御部６５は、ステップＳ６４において、表示制御部６６を制御し、画面データ生成部８４からのファイル一覧画面データを、ＬＣＤ２６に表示させ、図７の表示制御処理を終了する。
【０１３６】
これにより、ＬＣＤ２６には、例えば、図５を参照して上述したように、画像１１２が、画像１１１が配置されていた位置に移動されて表示され、画像１１３が、画像１１２が配置されていた位置に移動されて表示され、画像１１４が、画像１１３が配置されていた位置に移動されて、カーソル１３２により選択された状態で表示され、他の画像も同様に、１つ前の画像が配置されていた位置に移動されて表示されたファイル一覧画面が表示される。
【０１３７】
また、ステップＳ５９において、上方向の操作を検出していないと判定された場合、方向指示検出部６４は、ステップＳ６１に進み、下方向の操作を検出したか否かを判定し、下方向の操作を検出したと判定した場合、下方向の指示信号を、メイン動作制御部６５に供給し、ステップＳ６２に進む。
【０１３８】
メイン動作制御部６５は、方向指示検出部６４からの下方向の指示信号を入力すると、ステップＳ６２において、下方向の指示信号に応じて、画面データ生成部８４を制御し、図５を参照して上述したように、すべての画像１１１乃至１２０の位置を、円環状移動軌跡１３１上を、反時計回りに移動させるように、かつ、その位置の大きさに応じた大きさで表示されるように、制御用メモリ７０に貼り付けられた静止画像のデータに、表示用メモリ７１に記録されているカーソル表示させるためのデータなどを重畳して、ファイル一覧画面データを更新（生成）し、更新したファイル一覧画面データを、表示制御部６６に供給し、ステップＳ６４に進む。
【０１３９】
メイン動作制御部６５は、ステップＳ６４において、表示制御部６６を制御し、画面データ生成部８４からのファイル一覧画面データを、ＬＣＤ２６に表示させ、図７の表示制御処理を終了する。
【０１４０】
これにより、ＬＣＤ２６には、例えば、図５を参照して上述したように、画像１１１が、画像１１２が配置されていた位置に移動されて表示され、画像１１２が、画像１１３が配置されていた位置に移動されて、カーソル１３２により選択された状態で表示され、画像１１３が、画像１１４が配置されていた位置に移動されて表示され、画像１１５は、画像１１４が配置されていた位置に移動されて表示され、他の画像も同様に、１つ前の画像が配置されていた位置に移動されて表示されたファイル一覧画面が表示される。
【０１４１】
一方、ステップＳ６１において、下方向の操作を検出していないと判定された場合（すなわち、ユーザによりジョグダイヤル２４ａが筐体１１側に押下され、画像１１３に対応する映像データの再生が決定された場合）、方向指示検出部６４は、決定の指示信号をメイン動作制御部６５に供給し、ステップＳ６３に進む。
【０１４２】
メイン動作制御部６５は、方向指示検出部６４からの決定の指示信号を入力すると、ステップＳ６３において、決定の指示信号に応じて、信号処理部８１を制御し、ファイル一覧画面において、カーソル１３２により選択されている画像１１３に対応する映像データの再生をさせ、ステップＳ６４に進む。すなわち、信号処理部８１は、画像１１３に対応する映像データを再生するために、映像データをドライブ６８を介して読み出し、復号し、動画用メモリ６９に展開する。
【０１４３】
メイン動作制御部６５は、ステップＳ６４において、表示制御部６６を制御し、動画用メモリ６９に展開された映像データを読み出させ、ＬＣＤ２６に表示させ、図７の表示制御処理を終了する。
【０１４４】
これにより、図６を参照して上述したように、再生された映像データの映像が、ＬＣＤ２６の全画面に表示される。
【０１４５】
以上のように、撮像装置１においては、動画ファイル一覧モードの場合、ユーザによるジョグダイヤル２４ａの操作に応じて、画像の表示位置が移動され、カーソルにより選択される位置に、所望の画像が表示されるように、表示画面が更新されたり、選択決定された画像が対応する映像データが再生される。さらに、左方向指示ボタン２４ｂまたは右方向指示ボタン２４ｃの操作に応じて、表示モードが、内容一覧表示モード、またはジョグダイヤル操作モードに切り換わる。
【０１４６】
次に、図１１のフローチャートを参照して、内容一覧表示モードが設定されている場合の表示制御処理を説明する。すなわち、この場合、光ディスク５１には、映像データが記録されており、ＬＣＤ６２には、図１０の内容一覧画面２０１が表示されている。
【０１４７】
ユーザは、ＬＣＤ６２に表示されている内容一覧画面２０１を見ながら、方向指示部２４を操作して、光ディスク５１に記録されている映像データをさらに詳しく検索しようとする。
【０１４８】
方向指示検出部６４は、ステップＳ１０１において、方向指示部２４が操作されるまで待機しており、例えば、ユーザが、方向指示部２４を構成する、ジョグダイヤル２４ａを回動したり、左方向指示ボタン２４ｂ、または右方向指示ボタン２４ｃを押下した場合、方向指示部２４が操作されたと判定し、ステップＳ１０２に進み、上方向の操作を検出したか否かを判定し、上方向の操作を検出したと判定した場合、上方向の指示信号を、メイン動作制御部６５に供給し、ステップＳ１０３に進む。
【０１４９】
メイン動作制御部６５は、方向指示検出部６４からの上方向の指示信号を入力すると、ステップＳ１０３において、内容一覧画面２０１において、カーソル１３２により選択されている画像が、表示されている画像のうちの最後尾の画像であるか否かを判定し、最後尾の画像ではないと判定した場合、ステップＳ１０４に進み、上方向の指示信号に応じて、画面データ生成部８４を制御し、図１０を参照して上述したように、表示されているすべての画像２２１乃至２２３の位置を、円環状移動軌跡２１１上を時計回りに移動させるように、かつ、その位置の大きさに応じた大きさで表示されるように、制御用メモリ７０に貼り付けられた静止画像のデータに、表示用メモリ７１に記録されているカーソル表示させるためのデータなどを重畳して、内容一覧画面データを更新（生成）し、更新した内容一覧画面データを、表示制御部６６に供給し、ステップＳ１１５に進む。
【０１５０】
メイン動作制御部６５は、ステップＳ１１５において、表示制御部６６を制御し、画面データ生成部８４からの内容一覧画面データを、ＬＣＤ２６に表示させ、図１１の表示制御処理を終了する。
【０１５１】
これにより、ＬＣＤ２６には、例えば、図１０を参照して上述したように、画像２２１が、図５の画像１１２が配置されていた（図１０においては表示されていない）位置に移動されて表示され、画像２２２が、画像２２１が配置されていた位置に移動されて、カーソル１３２により選択された状態で表示され、画像２２３が、画像２２２が配置されていた位置に移動されて表示され、さらに、画像２２３が配置されていた位置に、画像が表示されない内容一覧画面が表示される。
【０１５２】
ステップＳ１０３において、内容一覧画面２０１において、カーソル１３２により選択されている画像が、最後尾の画像であると判定された場合、内容一覧画面２０１の表示は変更されず、ステップＳ１０１に戻り、それ以降の処理を繰り返す。
【０１５３】
また、ステップＳ１０２において、上方向の操作を検出していないと判定された場合、方向指示検出部６４は、ステップＳ１０５に進み、下方向の操作を検出したか否かを判定し、下方向の操作を検出したと判定した場合、下方向の指示信号を、メイン動作制御部６５に供給し、ステップＳ１０６に進む。
【０１５４】
メイン動作制御部６５は、方向指示検出部６４からの下方向の指示信号を入力すると、ステップＳ１０６において、内容一覧画面２０１において、カーソル１３２により選択されている画像が、表示されている画像のうちの先頭の画像であるか否かを判定し、先頭の画像ではないと判定した場合、ステップＳ１０７に進み、下方向の指示信号に応じて、画面データ生成部８４を制御し、図１０を参照して上述したように、すべての画像２２１乃至２２３の位置を、円環状移動軌跡２１１上を、反時計回りに移動させるように、かつ、その位置の大きさに応じた大きさで表示されるように、制御用メモリ７０に貼り付けられた静止画像のデータに、表示用メモリ７１に記録されているカーソル表示させるためのデータなどを重畳して、内容一覧画面データを更新（生成）し、更新した内容一覧画面データを、表示制御部６６に供給し、ステップＳ１１５に進む。
【０１５５】
メイン動作制御部６５は、ステップＳ１１５において、表示制御部６６を制御し、画面データ生成部８４からの内容一覧画面データを、ＬＣＤ２６に表示させ、図１１の表示制御処理を終了する。
【０１５６】
これにより、例えば、図１０を参照して上述したように、例えば、画像２２１が、図５の画像１１１が配置されていた位置に移動されて表示され、画像２２２が、画像２２１が配置されていた位置に移動されて、カーソル１３２により選択された状態で表示され、画像２２３が、画像２２２が配置されていた位置に移動されて表示されているファイル一覧画面において、ユーザによりジョグダイヤル２４ａを下方向に回動された場合には、画像２２１が、図５の画像１１２が配置されていた位置から、図１０の自身（画像２２１）の位置へ移動されて、カーソル１３２により選択された状態で表示され、画像２２２が、図１０の画像２２１の位置から、図１０の自身（画像２２２）の位置へ移動されて、表示され、画像２２３が、図１０の画像２２２の位置から、図１０の自身（画像２２３）の位置へ移動されて、表示された内容一覧画面が表示される。
【０１５７】
ステップＳ１０６において、内容一覧画面２０１において、カーソル１３２により選択されている画像が、先頭の画像であると判定された場合、内容一覧画面２０１の表示は変更されず、ステップＳ１０１に戻り、それ以降の処理を繰り返す。
【０１５８】
また、ステップＳ１０５において、下方向の操作を検出していないと判定された場合、方向指示検出部６４は、ステップＳ１０８に進み、右方向の操作を検出したか否かを判定し、右方向の操作を検出したと判定した場合、右方向の指示信号を、メイン動作制御部６５に供給し、ステップＳ１０９に進む。
【０１５９】
メイン動作制御部６５は、方向指示検出部６４からの右方向の指示信号を入力すると、ステップＳ１０９において、右方向の指示信号に応じて、時間計測制御部８２を制御し、図７のステップＳ５７において設定された時間間隔よりもさらに細かい時間間隔に設定させ、設定した時間間隔を、制御用メモリ７０に記憶させ、ステップＳ１１０に進む。なお、いまの場合、図７のステップＳ５７において設定された５秒間隔よりも、細かい時間間隔として２秒間隔が設定されたとする。この時間間隔は、ユーザにより設定させるように構成されてもよい。
【０１６０】
メイン動作制御部６５は、ステップＳ１１０において、内容一覧画面データ生成処理を実行する。なお、この内容一覧画面データ生成処理は、静止画像が切り出される時間間隔が異なる点が異なるだけであり、図９を参照して上述した内容一覧データ生成処理と、基本的に同様な処理を行うため、この説明は、繰り返しになるので、省略するが、ステップＳ１１０において、選択された画像に対応する映像データが、２秒間隔で切り出された静止画像で構成される内容一覧画面データを生成され、生成された内容一覧画面データが、表示制御部６６に供給され、ステップＳ１１５に進む。
【０１６１】
メイン動作制御部６５は、ステップＳ１１５において、表示制御部６６を制御し、画面データ生成部８４からの内容一覧画面データを、ＬＣＤ２６に表示させ、図１１の表示制御処理を終了する。これにより、ＬＣＤ２６には、図１２に示されるような内容一覧画面が表示される。
【０１６２】
図１２は、内容一覧表示モードの場合に、ＬＣＤ２６に表示される内容一覧画面の他の例を示す。なお、図１２の内容一覧画面２５１は、図１０の内容一覧画面２０１と、表示される画像の時間間隔および画像数が異なるだけであり、基本的な構成は同様であるため、その詳細な説明は省略する。
【０１６３】
図１２の内容一覧画面２５１においては、その左側に、図１０の内容一覧画面２０１に表示されていた円環状移動軌跡２１１が、その軌跡形状を残したまま小さく、アイコン２６１に示されるように、アイコン化されて表示されるとともに、アイコン２６１の右側には、図５の円環状移動軌跡１１３と同様に構成される、内容一覧表示用の円環状移動軌跡２６２が表示されている。
【０１６４】
円環状移動軌跡２６２上には、左中央部の位置から、反時計回りに順に、ユーザが右方向指示ボタン２４ｃを押下したときに、図１０の内容一覧画面２０１において、円環状移動軌跡２１１の左中央部に配置され、カーソル１３２により選択されていた画像（図１０の場合、画像２２１）が対応する映像データが、選択されていた画像の再生時刻を先頭として、２秒間隔で切り取られ、制御用メモリ７０に貼り付けられた静止画像が、画像２６３乃至画像２６８として所定の位置に配置されている。
【０１６５】
すなわち、図１０の画像２２１は、映像データにおける０秒後の画像であるため、静止画像は、映像データの再生時刻０から切り取られる。したがって、画像２６３は、映像データにおける０秒後の画像（先頭画像、すなわち、図１０の画像２２１）であり、画像２６４は、映像データにおける２秒後の画像であり、画像２６５は、４秒後の画像であり、画像２６６は、６秒後の画像であり、画像２６７は、８秒後の画像であり、画像２６８は、１０秒後の画像である。
【０１６６】
なお、図１２の例においては、図１０の画像２２１は、映像データにおける０秒後の画像であるため、画像２６３の前には、データが存在しないが、選択された画像が再生時間の途中の画像であった場合には、円環状移動軌跡２６２において、画像２６３の前に、例えば、画像２６３より設定された時間間隔前の画像を配置するようにしてもよく、あるいは、選択された画像よりも前の再生時刻の画像は配置しないようにしてもよいし、さらに、必ず、映像データにおける０秒後の画像から順に切り出して、切り出された画像を、円環状移動軌跡２６２に配置するようにしてもよい。
【０１６７】
図１１に戻って、ステップＳ１０８において、右方向の操作を検出していないと判定された場合、方向指示検出部６４は、ステップＳ１１１に進み、左方向の操作を検出したか否かを判定し、左方向の操作を検出したと判定した場合、左方向の指示信号を、メイン動作制御部６５に供給し、ステップＳ１１２に進む。
【０１６８】
メイン動作制御部６５は、方向指示検出部６４からの左方向の指示信号を入力すると、ステップＳ１１２において、左方向の指示信号に応じて、撮像装置１の表示モードを、設定されている内容一覧表示モードから切り換えて、動画ファイル一覧モードに設定し、設定された動画ファイル一覧モードを、制御用メモリ７０に記憶し、ステップＳ１１３に進む。
【０１６９】
メイン動作制御部６５は、ステップＳ１１３において、動画ファイル一覧モードのファイル一覧画面データ生成処理を実行する。なお、このファイル一覧画面データ生成処理は、図４を参照して上述したファイル一覧データ生成処理と、基本的に同様な処理を行うため、この説明は、繰り返しになるので、省略するが、ステップＳ１１３において、光ディスク５１に記録されているすべての映像データの先頭画像が切り出された静止画像で構成されるファイル一覧画面データが生成され、生成されたファイル一覧画面データが、表示制御部６６に供給され、ステップＳ１１５に進む。
【０１７０】
メイン動作制御部６５は、ステップＳ１１５において、表示制御部６６を制御し、画面データ生成部８４からのファイル一覧画面データを、ＬＣＤ２６に表示させ、図１１の表示制御処理を終了する。これにより、ＬＣＤ２６には、図５を参照して上述したファイル一覧画面が表示される。
【０１７１】
一方、ステップＳ１１１において、左方向の操作を検出していないと判定された場合（すなわち、ユーザによりジョグダイヤル２４ａが筐体１１側に押下され、画像２２１に対応する映像データの再生が決定された場合）、方向指示検出部６４は、決定の指示信号をメイン動作制御部６５に供給し、ステップＳ１１４に進む。
【０１７２】
メイン動作制御部６５は、方向指示検出部６４からの決定の指示信号を入力すると、ステップＳ１１４において、決定の指示信号に応じて、信号処理部８１を制御し、内容一覧画面２０１において、カーソル１３２により選択されている画像２２１に対応する再生時刻から、対応する映像データを再生させ、ステップＳ１１５に進む。すなわち、信号処理部８１は、画像２２１に対応する映像データを、ドライブ６８を介して読み出し、復号し、画像２２１に対応する再生時刻からの映像データを、動画用メモリ６９に展開する。
【０１７３】
メイン動作制御部６５は、ステップＳ１１５において、表示制御部６６を制御し、動画用メモリ６９に展開された映像データを読み出させ、ＬＣＤ２６に表示させ、図７の表示制御処理を終了する。
【０１７４】
これにより、選択された再生時刻から再生された映像データの映像が、ＬＣＤ２６の全画面に表示される。
【０１７５】
以上のように、撮像装置１においては、内容ファイル一覧モードの場合、ユーザによるジョグダイヤル２４ａの操作に応じて、画像の表示位置が移動され、カーソルにより選択される位置に、所望の画像が表示されるように、表示画面が更新されたり、選択決定された画像の再生時刻から、映像データが再生される。さらに、左方向指示ボタン２４ｂまたは右方向指示ボタン２４ｃの操作に応じて、表示モードが、内容一覧表示モードに切り換わったり、あるいは、内容ファイル一覧画面には、さらに細かい時間間隔の画像が表示される。
【０１７６】
次に、図１３のフローチャートを参照して、ジョグダイヤル操作モードが設定されている場合の表示制御処理を説明する。すなわち、この場合、光ディスク５１には、映像データが記録されており、ＬＣＤ６２には、図８のファイル操作画面１７１が表示されている。
【０１７７】
ユーザは、ＬＣＤ６２に表示されているファイル操作画面１７１を見ながら、方向指示部２４を操作して、光ディスク５１に記録されている映像データをさらに詳しく検索しようとする。
【０１７８】
方向指示検出部６４は、ステップＳ１３１において、方向指示部２４が操作されるまで待機しており、例えば、ユーザが、方向指示部２４を構成する、ジョグダイヤル２４ａを回動させたり、左方向指示ボタン２４ｂ、または右方向指示ボタン２４ｃを押下した場合、方向指示部２４が操作されたと判定し、ステップＳ１３２に進み、左方向の操作を検出したか否かを判定し、左方向の操作を検出したと判定した場合、ファイル操作画面１７１の表示は変更されず、ステップＳ１３１に戻り、それ以降の処理を繰り返す。
【０１７９】
ステップＳ１３２において、左方向の操作を検出していないと判定された場合、方向指示検出部６４は、ステップＳ１３３に進み、上方向の操作を検出したか否かを判定し、上方向の操作を検出したと判定した場合、上方向の指示信号を、メイン動作制御部６５に供給し、ステップＳ１３４に進む。
【０１８０】
メイン動作制御部６５は、方向指示検出部６４からの上方向の指示信号を入力すると、ステップＳ１３４において、ファイル操作画面１７１において、子画面１８２に表示されている画像が、映像データの先頭の画像であるか否かを判定し、先頭の画像ではないと判定した場合、ステップＳ１３５に進み、上方向の指示信号に応じて、信号処理部８１を制御し、図８を参照して上述したように、子画面１８２に表示されている画像１１３に対応する映像データに、巻き戻し再生処理を実行させ、ステップＳ１４３に進む。すなわち、信号処理部８１は、画像１１３に対応する映像データを、ドライブ６８を介して読み出し、復号し、巻き戻し再生用に、動画用メモリ６９に展開する。
【０１８１】
メイン動作制御部６５は、ステップＳ１４３において、表示制御部６６を制御し、動画用メモリ６９に展開された映像データを読み出させ、ＬＣＤ２６に表示させ、図１３の表示制御処理を終了する。
【０１８２】
これにより、図８を参照して上述したように、巻き戻し再生された映像データの映像が、ＬＣＤ２６のファイル操作画面１７１の子画面１８２に表示される。
【０１８３】
ステップＳ１３４において、ファイル操作画面１７１において、子画面１８２に表示されている画像が、先頭の画像であると判定された場合、処理は、ステップＳ１３１に戻り、それ以降の処理が繰り返される。
【０１８４】
ステップＳ１３３において、上方向の操作を検出しなかったと判定された場合、方向指示検出部６４は、ステップＳ１３６に進み、下方向の操作を検出したか否かを判定し、下方向の操作を検出したと判定した場合、下方向の指示信号を、メイン動作制御部６５に供給し、ステップＳ１３７に進む。
【０１８５】
メイン動作制御部６５は、方向指示検出部６４からの下方向の指示信号を入力すると、ステップＳ１３７において、ファイル操作画面１７１において、子画面１８２に表示されている画像が、映像データの最後尾の画像であるか否かを判定し、最後尾の画像ではないと判定した場合、ステップＳ１３８に進み、下方向の指示信号に応じて、信号処理部８１を制御し、図８を参照して上述したように、子画面１８２に表示されている画像１１３に対応する映像データに、早送り再生処理を実行させ、ステップＳ１４３に進む。すなわち、信号処理部８１は、画像１１３に対応する映像データを、ドライブ６８を介して読み出し、復号し、早送り再生用に、動画用メモリ６９に展開する。
【０１８６】
メイン動作制御部６５は、ステップＳ１４３において、表示制御部６６を制御し、動画用メモリ６９に展開された映像データを読み出させ、ＬＣＤ２６に表示させ、図１３の表示制御処理を終了する。
【０１８７】
これにより、図８を参照して上述したように、早送り再生された映像データの映像が、ＬＣＤ２６のファイル操作画面１７１の子画面１８２に表示される。
【０１８８】
ステップＳ１３７において、ファイル操作画面１７１において、子画面１８２に表示されている画像が、最後尾の画像であると判定された場合、処理は、ステップＳ１３１に戻り、それ以降の処理が繰り返される。
【０１８９】
なお、上記説明においては、上方向が操作された場合に巻き戻し再生を行い、下方向が操作された場合に早送り再生を行うように説明したが、この方向は、仕様であり、仕様によっては、上方向が操作された場合に早送り再生、下方向が操作された場合に巻き戻し再生させるようにしてもよい。
【０１９０】
ステップＳ１３６において、下方向の操作を検出しなかったと判定された場合、方向指示検出部６４は、ステップＳ１３９に進み、右方向の操作を検出したか否かを判定し、右方向の操作を検出したと判定した場合、右方向の指示信号を、メイン動作制御部６５に供給し、ステップＳ１４０に進む。
【０１９１】
メイン動作制御部６５は、方向指示検出部６４からの右方向の指示信号を入力すると、ステップＳ１４２において、右方向の指示信号に応じて、撮像装置１の表示モードを、設定されているジョグダイヤル操作モードから切り換えて、動画ファイル一覧モードに設定し、設定された動画ファイル一覧モードを、制御用メモリ７０に記憶し、ステップＳ１４１に進む。
【０１９２】
メイン動作制御部６５は、ステップＳ１４１において、動画ファイル一覧モードのファイル一覧画面データ生成処理を実行する。なお、このファイル一覧画面データ生成処理は、図４を参照して上述したファイル一覧データ生成処理と、基本的に同様な処理を行うため、この説明は、繰り返しになるので、省略するが、ステップＳ１４１において、光ディスク５１に記録されているすべての映像データの先頭画像が切り出された静止画像で構成されるファイル一覧画面データを生成され、生成されたファイル一覧画面データが、表示制御部６６に供給され、ステップＳ１４３に進む。
【０１９３】
メイン動作制御部６５は、ステップＳ１４３において、表示制御部６６を制御し、画面データ生成部８４からのファイル一覧画面データを、ＬＣＤ２６に表示させ、図１３の表示制御処理を終了する。これにより、ＬＣＤ２６には、図５を参照して上述したファイル一覧画面が表示される。
【０１９４】
一方、ステップＳ１３９において、右方向の操作を検出していないと判定された場合（すなわち、ユーザによりジョグダイヤル２４ａが筐体１１側に押下され、画像１１３に対応する映像データの再生が決定された場合）、方向指示検出部６４は、決定の指示信号をメイン動作制御部６５に供給し、ステップＳ１４２に進む。
【０１９５】
メイン動作制御部６５は、方向指示検出部６４からの決定の指示信号を入力すると、ステップＳ１４２において、決定の指示信号に応じて、信号処理部８１を制御し、ファイル操作画面において、子画面１８２に表示されている画像１１３に対応する映像データの再生をさせ、ステップＳ１４３に進む。すなわち、信号処理部８１は、画像１１３に対応する映像データを、ドライブ６８を介して読み出し、復号し、動画用メモリ６９に展開する。
【０１９６】
メイン動作制御部６５は、ステップＳ１４３において、表示制御部６６を制御し、動画用メモリ６９に展開された映像データを読み出させ、ＬＣＤ２６に表示させ、図１３の表示制御処理を終了する。
【０１９７】
これにより、図８を参照して上述したように、再生された映像データの映像が、ＬＣＤ２６の全画面に表示される。
【０１９８】
以上のように、撮像装置１においては、ジョグダイヤル操作モードの場合、ユーザによるジョグダイヤル２４ａの操作に応じて、子画面１８２に表示される画像１１３が対応する映像データが早送り、または巻戻し再生されて表示されたり、選択決定された画像が対応する映像データが再生される。さらに、左方向指示ボタン２４ｂまたは右方向指示ボタン２４ｃの操作に応じて、表示モードが、動画ファイル一覧モードに切り換わる。
【０１９９】
以上により、撮像装置１においては、任意の映像データの画像の位置を、ジョグダイヤル２４ａにより上下に移動させることにより、円環状軌跡上を移動させ、他の画像よりも大きく表示させ、選択することを可能としたので、ユーザは、直感的な操作で、画像を選択することができ、さらに、ジョグダイヤル２４ａに対して左右方向を指示することにより、２種類の表示モードを切り換えることを可能としたので、ユーザは、映像データ内の各シーンを見たり、早送り、巻き戻し再生を直感的に、快適に、素早く操作することができる。
【０２００】
すなわち、ユーザは、ファイル一覧画面１０１において、先頭画像を見ることで、所望の映像データの見当をつけることができ、その映像データをすぐに再生処理するのではなく、さらに、内容一覧画面２０１またはファイル操作画面１７１に切り換えて、その映像データの画像を、所定の時間間隔で閲覧したり、あるいは、映像データを、早送り、巻き戻し再生させたりして、映像データの内容を把握することができるので、処理的に負荷のかかる再生処理を行うことなく、所望の映像データを、簡単な操作で、直感的に素早く検索することができる。
【０２０１】
なお、上記説明においては、動画ファイル一覧モードにおいて、左が指示されることにより、ジョグダイヤル操作モードに切り換わり、右が指示されることにより、内容一覧表示モードに切り換えるように説明したが、内容一覧表示モードから、ジョグダイヤル操作モードに切り換えるように構成してもよい。なお、その場合には、ジョグダイヤル操作モードに切り換える指示があったときに、内容一覧画面においてカーソル選択されている画像（先頭画像とは限らない）が、ファイル操作画面の子画面に表示されるので、子画面に表示される画像の再生時刻から、早送り再生や、巻き戻しが処理される。
【０２０２】
さらに、もちろん、上述した画面切り換え方向とは、左右を逆に構成するようにしてもよい。すなわち、動画ファイル一覧モードにおいて、右が指示されることにより、ジョグダイヤル操作モードに切り換わり、左が指示されることにより、内容一覧表示モードに切り換えるように構成してもよく、この場合、上述した説明における左右の操作や表示が適宜逆に処理される。
【０２０３】
また、上記説明においては、方向指示するための入力デバイスとして、図１の方向指示部２４を例に説明したが、撮像装置１においては、図１の方向指示部２４の代わりに、図１４Ａの方向指示部３０１または図１４Ｂに示される方向指示部３３１を設けるように構成されてもよい。
【０２０４】
図１４Ａおよび図１４Ｂは、図１の方向指示部２４の他の構成例を示している。
【０２０５】
図１４Ａの例において、方向指示部３０１は、中央に位置する決定ボタン３１１、決定ボタン３１１の上部に位置する上方向指示ボタン３１２、決定ボタン３１１の下部に位置する下方向指示ボタン３１３、決定ボタン３１１の左側に位置する左方向指示ボタン３１４、および決定ボタン３１１の右側に位置する右方向指示ボタン３１５により構成されている。
【０２０６】
決定ボタン３１１は、ユーザにより押下されることにより、図１のジョグダイヤル２４ａを筐体１１側に押下される場合と同様に、方向指示検出部６４を介して、決定の指示信号がメイン動作制御部６５に供給されるように構成されている。
【０２０７】
上方向指示ボタン３１２は、ユーザにより押下されることにより、ジョグダイヤル２４ａを上方向に回動される場合と同様に、方向指示検出部６４を介して、上方向の指示信号がメイン動作制御部６５に供給されるように構成されている。
【０２０８】
下方向指示ボタン３１３は、ユーザにより押下されることにより、ジョグダイヤル２４ａを下方向に回動される場合と同様に、方向指示検出部６４を介して、下方向の指示信号がメイン動作制御部６５に供給されるように構成されている。
【０２０９】
左方向指示ボタン３１４は、左方向指示ボタン２４ｂと同様に構成され、ユーザにより押下されることにより、方向指示検出部６４を介して、左方向の指示信号がメイン動作制御部６５に供給されるように構成されている。
【０２１０】
右方向指示ボタン３１５は、右方向指示ボタン２４ｃと同様に構成され、ユーザにより押下されることにより、方向指示検出部６４を介して、右方向の指示信号がメイン動作制御部６５に供給されるように構成されている。
【０２１１】
図１４Ｂの例において、方向指示部３３１は、ジョグダイヤルにより構成され、筐体１１に、図１のジョグダイヤル２４ａと同様に設けられている。
【０２１２】
すなわち、方向指示部３３１は、図１のジョグダイヤル２４ａと同様に機能し、矢印Ｐに示されるように、上下方向に回動自在に構成されており、また、筐体１１側に鉛直方向に押圧されることにより、決定（選択）ボタンとして機能する。
【０２１３】
さらに、方向指示部３３１は、図１のジョグダイヤル２４ａが有する機能のほか、ユーザが、筐体１１の表面に突出した部分を、矢印Ｌ方向に押し倒すことにより、左側に傾斜する方向指示部３３１と筐体１１とが所定の鋭角の角度を有するような左方向指定状態３３１Ｌになるように、かつ、ユーザが、筐体１１の表面に突出した部分を、矢印Ｒ方向に押し倒すことにより、右側に傾斜する方向指示部３３１と筐体１１とが所定の鋭角の角度を有する右方向指定状態３３１Ｒになるように構成されている。
【０２１４】
したがって、ユーザが、方向指示部３３１を矢印Ｌ方向に押し倒し、方向指示部３３１を左側に傾斜させることにより、左方向指定状態３３１Ｌにさせた場合、方向指示検出部６４は、左方向の指示信号を、メイン動作制御部６５に供給する。また、ユーザが、方向指示部３３１を矢印Ｒ方向に押し倒し、方向指示部３３１を右側に傾斜させることにより、右方向指定状態３３１Ｒにさせた場合、右方向の指示信号を、メイン動作制御部６５に供給する。
【０２１５】
なお、さらに、撮像装置１に設けられるズーム機能を指示するための入力デバイスなどを、方向指示するための入力デバイスとして用いることも可能であり、この場合、操作ボタンなどの部品点数を少なくしたり、撮像装置１の筐体１１の表面の操作ボタンなどの設置面積を減少させることが可能である。また、ＬＣＤ２６にタッチパネルを積層し、タッチパネルによる操作を行うようにすることもできる。
【０２１６】
上記説明においては、光ディスク５１は、機械的、光学的、磁気的、または、磁気光学的に記録可能なもので、繰り返し書込みが可能なもの（例えば、Blu-ray Disc 、DVD-RW（Digital Versatile Disc- Rewritable）、DVD-RAM（Digital Versatile Disc- Random Access Memory））であってもよいし、１回書込みのみが可能なもの（例えば、DVD-R（Digital Versatile Disc- Recordable）や、DVD-ROM（Digital Versatile Disc- Read Only Memory）を含む）など、その形式は問わず、データを記録、または、再生できるディスク型の記録媒体であればよい。さらに、ディスク型の記録媒体に限らず、光ディスク５１以外のメモリーカード（登録商標）、その他の記録媒体とすることもできる。
【０２１７】
さらに、光ディスク５１は、撮像装置１に着脱可能な記録媒体として説明したが、例えば、光ディスク５１を、撮像装置１に内蔵される記録媒体としてもよく、さらに、ネットワーク５２に接続されるＰＣ５３のハードディスク（記録媒体）などに記録されているデータを用いて一覧表示するようにしてもよい。なお、ネットワーク５２に接続されるＰＣ５３のハードディスクの場合には、通信部７２およびネットワーク５２を介して、所定のデータが取得される。
【０２１８】
さらに、上記説明においては、撮像装置を用いて説明したが、本発明は、ＰＤＡ(Personal Digital assistant)、携帯電話機、およびパーソナルコンピュータなどにも適用される。また、例えば、図１５の情報処理システムなどにも適用される。
【０２１９】
図１５は、本発明を適用した情報処理システムの構成を示している。図１５においては、サーバ３５１は、インターネットまたはイントラネットなどのネットワーク３５３を介して、ＰＣ（パーソナルコンピュータ）３５２に接続されている。
【０２２０】
ＰＣ３５２は、内蔵するハードディスクに記録されている映像データをサーバ３５１に送信し、サーバ３５１に登録する。そして、ＰＣ３５２は、ブラウザソフトウェアなどを用いて、サーバ３５１に接続し、図示せぬキーボードなどを用いて、操作に対応する指示信号を送信することにより、サーバ３５１に登録されている映像データのファイル一覧画面データ、内容一覧画面データ、またはファイル操作画面データなどの画面データを要求し、サーバ３５１からネットワーク３５３を介して送信されてくる画面データを受信し、受信した画面データを解釈し、その画面をモニタなどに表示する。
【０２２１】
サーバ３５１は、撮影処理を行う処理部および表示制御を行う処理部が除かれている点以外、図２を参照して上述した撮像装置１と基本的に同様の構成であるので、以下、図１の撮像装置１の構成を、サーバ３５１の構成として説明する。なお、撮像装置１をサーバとして用いることも可能である。また、図２の撮像装置１の場合は、ユーザの指示が、方向指示部２４などを介して入力されるが、図１５のサーバ３５１においては、ネットワーク３５３および通信部７２を介して、ＰＣ３５２のユーザからの指示が入力される。
【０２２２】
サーバ３５１は、ＰＣ３５２からの映像データをネットワーク３５３および通信部７２を介して、入力（受信）し、例えば、ドライブ６８を制御して、光ディスク５１に登録（記録）させる。また、サーバ３５１は、ＰＣ３５２から、ネットワーク３５３を介して映像データの一覧表示などの要求を、通信部７２で受信すると、図３を参照して上述したように、ファイル一覧画面データを生成する。なお、このとき、サーバ３５１に記録されているすべての映像データではなく、ＰＣ３５２のユーザが指定するフォルダ内の映像データとすることもできる。
【０２２３】
すなわち、サーバ３５１は、ＰＣ３５２が指定するフォルダに記録されている映像データの画像から、先頭画像を、静止画像として切り出し、切り出された静止画像からなるファイル一覧画面データを生成する。そして、サーバ３５１は、生成されたファイル一覧画面データを、通信部７２を制御し、ネットワーク３５３を介して、ＰＣ３５２に送信する。
【０２２４】
これにより、ＰＣ３５２において、ブラウザソフトウェアなどが用いられてファイル一覧画面が表示される。なお、繰り返しになるので、説明を省略するが、ＰＣ３５２からのユーザの方向指示に応じて、内容一覧画面データ、またはファイル操作画面データも、図７、図１１、または図１３を参照して上述したように、生成され、ＰＣ３５２に送信される。
【０２２５】
なお、図１５の例においては、サーバおよびＰＣが１台ずつしか示されていないが、任意の台数のサーバおよびＰＣなどがネットワーク３５３に接続されている。また、サーバ、ＰＣだけでなく、撮像装置がネットワークに接続されていてもよい。この場合、撮像装置から画像データがサーバに登録され、サーバにおいて、登録されている画像データの一覧表示が生成され、生成された画面データの画像をＰＣで表示させるようにしてもよい。
【０２２６】
以上のように、本発明は、ユーザからの映像データを登録し、閲覧するサービスを提供するサーバ３５３にも適用することができる。これにより、ＰＣ３５２のユーザは、サーバ３５１に多くの映像データを登録した場合でも、簡単に所望の映像データを閲覧することができる。
【０２２７】
上述した一連の処理は、ハードウェアにより実行させることもできるが、ソフトウェアにより実行させることもできる。この場合、例えば、図２の撮像装置１は、図１６に示されるようなパーソナルコンピュータ４０１により構成される。
【０２２８】
図１６において、ＣＰＵ（Central Processing Unit）４１１は、ＲＯＭ(Read Only Memory) ４１２に記憶されているプログラム、または、記憶部４１８からＲＡＭ（Random Access Memory）４１３にロードされたプログラムに従って各種の処理を実行する。ＲＡＭ４１３にはまた、ＣＰＵ４１１が各種の処理を実行する上において必要なデータなどが適宜記憶される。
【０２２９】
ＣＰＵ４１１、ＲＯＭ４１２、およびＲＡＭ４１３は、バス４１４を介して相互に接続されている。このバス４１４にはまた、入出力インタフェース４１５も接続されている。
【０２３０】
入出力インタフェース４１５には、キーボード、マウスなどよりなる入力部４１６、ＣＲＴ(Cathode Ray Tube)，ＬＣＤ（Liquid Crystal Display）などよりなるディスプレイ、並びにスピーカなどよりなる出力部４１７、ハードディスクなどより構成される記憶部４１８、モデム、ターミナルアダプタなどより構成される通信部４１９が接続されている。通信部４１９は、無線などのネットワークを介しての通信処理を行う。
【０２３１】
入出力インタフェース４１５にはまた、必要に応じてドライブ４２０が接続され、磁気ディスク４２１、光ディスク４２２、光磁気ディスク４２３、或いは半導体メモリ４２４などが適宜装着され、それから読み出されたコンピュータプログラムが、必要に応じて記憶部４１８にインストールされる。
【０２３２】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２３３】
この記録媒体は、図１６に示されるように、装置本体とは別に、ユーザにプログラムを提供するために配布される、プログラムが記録されている磁気ディスク４２１（フレキシブルディスクを含む）、光ディスク４２２（CD-ROM(Compact Disk-Read Only Memory)，ＤＶＤ(Digital Versatile Disk)を含む）、光磁気ディスク４２３（MD(Mini-Disk)（商標）を含む）、もしくは半導体メモリ４２４などよりなるパッケージメディアにより構成されるだけでなく、装置本体に予め組み込まれた状態でユーザに提供される、プログラムが記録されているＲＯＭ４１２や、記憶部４１８に含まれるハードディスクなどで構成される。
【０２３４】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２３５】
なお、本明細書において、システムとは、複数の装置により構成される装置全体を表すものである。
【図面の簡単な説明】
【０２３６】
【図１】本発明の撮像装置の外観の構成例を示す斜視図である。
【図２】図１の撮像装置の構成例を示すブロック図である。
【図３】図１の撮像装置の表示制御処理を説明するフローチャートである。
【図４】図３のステップＳ１６のファイル一覧画面データ生成処理を説明するフローチャートである。
【図５】ファイル一覧画面の例を示す図である。
【図６】再生されるデータの表示画面の例を示す図である。
【図７】図１の撮像装置の表示制御処理の他の例を説明するフローチャートである。
【図８】ファイル操作画面の例を示す図である。
【図９】図７のステップＳ５８の内容一覧画面データ生成処理を説明するフローチャートである。
【図１０】内容一覧画面の例を示す図である。
【図１１】図１の撮像装置の表示制御処理のさらに他の例を説明するフローチャートである。
【図１２】内容一覧画面の他の例を示す図である。
【図１３】図１の撮像装置の表示制御処理の他の例を説明するフローチャートである。
【図１４】図１の撮像装置の方向指示部の他の例を示す図である。
【図１５】本発明を適用した情報処理システムの構成例を示す図である。
【図１６】本発明を適用したパーソナルコンピュータの構成例を示す図である。
【符号の説明】
【０２３７】
１  撮像装置，２３  電源スイッチ，２４  方向指示部，２４ａ  ジョグダイヤル，２４ｂ  左方向指示部，２４ｃ  右方向指示部，２６  ＬＣＤ，５１  光ディスク，５２  ネットワーク，５３  パーソナルコンピュータ，６４  方向指示検出部，６５  メイン動作制御部，６６表示制御部，６８  ドライブ，６９  動画用メモリ，７０  制御用メモリ，７１  表示用メモリ，７２  通信部，８１  信号処理部，８２  時間計測制御部，８３  画像切り出し制御部，８４  画面データ生成部，１０１  ファイル一覧画面，１７１  ファイル操作画面，２０１,２５１  内容一覧画面，３５１  サーバ，３５２  パーソナルコンピュータ，３５３  ネットワーク 
【図１】
2006074320.tif 000003
【図２】
2006074320.tif 000004
【図３】
2006074320.tif 000005
【図４】
2006074320.tif 000006
【図５】
2006074320.tif 000007
【図６】
2006074320.tif 000008
【図７】
2006074320.tif 000009
【図８】
2006074320.tif 000010
【図９】
2006074320.tif 000011
【図１０】
2006074320.tif 000012
【図１１】
2006074320.tif 000013
【図１２】
2006074320.tif 000014
【図１３】
2006074320.tif 000015
【図１４】
2006074320.tif 000016
【図１５】
2006074320.tif 000017
【図１６】
2006074320.tif 000018